(57)【特許請求の範囲】
【請求項１】
こて先を有するはんだごてのこて先クリーニング装置であって、
ケーシングと、
前記ケーシングに対し電気的に絶縁状態を維持して、当該ケーシングに回転可能に保持される導電性の回転ブラシと、
前記回転ブラシを駆動するモータと、
前記モータに給電する給電回路と、
前記回転ブラシと導通して前記回転ブラシに電圧を印可しているとともに、接地側が絶縁されている検出ラインと、
前記給電回路に接続され、前記はんだごての前記こて先が前記回転ブラシに接触することで前記検出ラインが前記こて先の接地側に接続されて通電することにより、前記モータの給電回路を閉じるスイッチ手段と
を備えていることを特徴とするはんだごてのこて先クリーニング装置。
【請求項２】
請求項１に記載のはんだごてのこて先クリーニング装置において、
前記検出ラインに接続され、前記こて先の抵抗値を検出する検出回路と、
前記検出回路に接続され、前記こて先の抵抗値の検出結果を報知する報知手段と
をさらに備えていることを特徴とするはんだごてのこて先クリーニング装置。
【請求項３】
請求項１または２に記載のはんだごてのこて先クリーニング装置において、
前記回転ブラシは、二つ一組にして並置されており、
前記検出ラインを各回転ブラシと電気的に接続する結線部材を備えている
ことを特徴とするはんだごてのこて先クリーニング装置。
【請求項４】
請求項３に記載のはんだごてのこて先クリーニング装置において、
前記二つ一組の回転ブラシにそれぞれ設けられ、互いに噛合する一対のギアをさらに備え、
前記結線部材は、前記一対のギアを互いに噛合する方向に寄せるブレーキワイヤである
ことを特徴とするはんだごてのこて先クリーニング装置。
【請求項５】
請求項１から４の何れか１項に記載のはんだごてのこて先クリーニング装置において、
前記回転ブラシを前記はんだごてに臨ませる開口を前記ケーシングに形成するマウス部と、
前記マウス部の輪郭に沿って前記マウス部に設けられ、前記こて先を前記回転ブラシにガイドする絶縁性ガイドと
をさらに備えているはんだごてのこて先クリーニング装置。
【請求項６】
請求項１から５の何れか１項に記載のはんだごてのこて先クリーニング装置において、
前記検出ラインと前記はんだごての接地側とが接続されているときに、操作信号を出力する操作ラインと、
前記スイッチ手段に設けられ、前記操作信号により発光する発光素子と、前記発光素子の光を受光して信号を出力する受光素子とを有するフォトカプラと
をさらに備え、前記スイッチ手段は、前記フォトカプラの前記受光素子が出力した信号に基づいて前記給電回路を閉じるように構成されている
ことを特徴とするはんだごてのこて先クリーニング装置。
【発明の詳細な説明】
【技術分野】
【０００１】
本発明は、はんだごてのこて先クリーニング装置に関する。
【背景技術】
【０００２】
はんだごてのこて先クリーニング装置は、手作業で操作されるはんだごてのこて先に、はんだやフラックスの酸化物等、付着物が焼き付いた場合、これら付着物を除去する装置である。一般的なこて先クリーニング装置は、はんだごてのこて先を拭き取る金属製のウェブを受け皿に配置している。ユーザは、このウェブにこて先をこすりつけて、付着物を除去するようにしている。
【０００３】
ところで、ウェブが金属製であることから、はんだごてとウェブとを電気的に接続し、所定の検査を行うように構成された装置が提案されている。例えば、特許文献１に記載の装置では、ウェブにリーク検査機を電気的に接続し、こて先とウェブとが接続したときに、こて先からのリーク電流を検出できるように構成されている。
【０００４】
一方、受け皿に配置されるウェブに代えて、モータで駆動される回転ブラシまたはクリーナを採用し、はんだごてが所定の位置に装着されたことを検出して上記モータを自動駆動するように構成された装置も提案されている。例えば、特許文献２には、はんだごてのこて先を挿入する筒状の鏝立てと、鏝立ての内部に配置されるリミットスイッチと、リミットスイッチの接続により駆動されるモータと、このモータに駆動されて回転するクリーナとを備えた装置が開示されている。この特許文献２の装置では、この鏝立てにこて先が所定ストロークまで挿入された場合に、リミットスイッチがこて先に接続されてモータが作動し、クリーナが回転するように構成されている。さらに、特許文献３には、モータで駆動されるクリーナと、クリーナを収容するケーシングと、ケーシングの開口部を開閉するシャッタと、シャッタが開閉するときの移動を利用して接続されるリミットスイッチとを備えた装置を開示している。シャッタは、通常は、開口部を閉じており、クリーニング時に、こて先によって押し込まれることにより、開口部を開くように構成されている。
【先行技術文献】
【特許文献】
【０００５】
【特許文献１】特開２００８−２５４０５７号公報
【特許文献２】実開平０２−３２３６７号公報
【特許文献３】特許第３１５３８１３号公報
【発明の概要】
【発明が解決しようとする課題】
【０００６】
特許文献１の構成では、専らリーク電流の検出が実施されるのみであり、ブラシを駆動することはできない。
【０００７】
一方、特許文献２の構成では、はんだごてを鏝立てに挿入するときのストロークに基づいて、はんだごてを検出しているため、確実にリミットスイッチを作動させるためには、はんだごての長さがリミットスイッチの設置場所に適合している必要があった。そのため、はんだごての長さが異なる場合には、はんだごての種類に応じて多種類の鏝立てを用意する必要がある。その結果、汎用性が乏しくなり、はんだごての多様化が要請されている現在では、製品化や実施が困難になっている。
【０００８】
また、特許文献３の構成では、リミットスイッチを駆動するためにはんだごてのこて先でシャッタを開く必要がある。そのため、付着物がシャッタにも付着してしまい、シャッタの作動性が悪くなるという懸念がある。また、シャッタにこて先を押し当てる必要があるので、こて先が損傷しやすくなるという恐れもある。
【０００９】
本発明は、上述した課題に鑑みてなされたものであり、回転ブラシを採用し、この回転ブラシを駆動するモータをはんだごてのクリーニング時に自動駆動可能な構成において、汎用性が高く、しかもこて先に負荷をかけることなく自動的にモータを駆動することのできるはんだごてのこて先クリーニング装置を提供することを課題としている。
【課題を解決するための手段】
【００１０】
上記課題を解決するために、本発明は、こて先を有するはんだごてのこて先クリーニング装置であって、ケーシングと、前記ケーシングに対し電気的に絶縁状態を維持して、当該ケーシングに回転可能に保持される導電性の回転ブラシと、前記回転ブラシを駆動するモータと、前記モータに給電する給電回路と、前記回転ブラシと導通して前記回転ブラシに電圧を印可しているとともに、接地側が絶縁されている検出ラインと、前記給電回路に接続され、前記はんだごての前記こて先が前記回転ブラシに接触することで前記検出ラインが前記こて先の接地側に接続されて通電することにより、前記モータの給電回路を閉じるスイッチ手段とを備えていることを特徴とするはんだごてのこて先クリーニング装置である。この態様では、検出ラインを回転ブラシに接続している。検出ラインには検査用の電圧が印加されている。しかしながら、検出ラインは接地側とは絶縁しており、回転ブラシも電気的に絶縁された状態で支持されている。そのため、回転ブラシがこて先に接触せずに、回転ブラシの絶縁性が維持されている状態では、検出ラインに電圧を印可しても、検出ラインが通電されることはない。一方、こて先が回転ブラシに接触すると、回転ブラシを介してこて先の接地側と検出ラインとが導通する。よって、検出ラインには、印加電流が流れる。この印加電流に基づいて、スイッチ手段は、給電回路を閉じる。このように、本態様では、はんだごてのこて先が接地されていることを利用し、こて先が回転ブラシに接触したときに、検出ラインが通電されて、スイッチ手段が給電回路を閉じる。この結果、はんだごての長さに拘わらず、はんだごてを検出することができ、こて先クリーニング装置の汎用性を高めることが可能となる。また、従来通り、回転ブラシにこて先を接触させるだけで給電回路を閉じることができる。したがって、こて先に大きな負荷をかけることなく、モータを駆動することができる。
【００１１】
好ましい態様のこて先クリーニング装置において、前記検出ラインに接続され、前記こて先の抵抗値を検出する検出回路と、前記検出回路に接続され、前記こて先の抵抗値の検出結果を報知する報知手段とをさらに備えている。この態様では、こて先のクリーニング時にこて先の抵抗値を同時に検出し、その結果を報知することができるので、ユーザは、こて先の交換要否等を判断することが可能になる。
【００１２】
好ましい態様のこて先クリーニング装置において、前記回転ブラシは、二つ一組にして並置されており、前記検出ラインを各回転ブラシと電気的に接続する結線部材を備えている。この態様では、二つ一組の回転ブラシを並置することによって、より確実にクリーニングを実行することができる。また、二つ一組の回転ブラシのそれぞれが結線部材で検出ラインと接続されているので、検出回路と回転ブラシとを接続する接続構造の信頼性が高くなる。
【００１３】
好ましい態様のこて先クリーニング装置において、前記二つ一組の回転ブラシにそれぞれ設けられ、互いに噛合する一対のギアをさらに備え、前記結線部材は、前記一対のギアを互いに噛合する方向に寄せるブレーキワイヤである。この態様では、各回転軸が、ブレーキワイヤとして機能する結線部材によって径方向に寄せられるので、一対のギアのバックラッシや寸法公差等に起因するがたつきが回転時に吸収され、各回転軸は、スムーズに回転する。よって、駆動時の騒音や振動を低減することができる。また、上記がたつきを吸収することができるので、各部の寸法公差を比較的大きく設定することができる。そのため、厳密な寸法精度が不要となり、製造や組立が容易になる。
【００１４】
好ましい態様のこて先クリーニング装置において、前記回転ブラシを前記はんだごてに臨ませる開口を前記ケーシングに形成するマウス部と、前記マウス部の輪郭に沿って前記マウス部に設けられ、前記こて先を前記回転ブラシにガイドする絶縁性ガイドとをさらに備えている。この態様では、絶縁性ガイドによって、はんだごてとケーシングとの絶縁性が確保された状態で、こて先を回転ブラシに導きやすくなり、操作性が向上する。
【００１５】
好ましい態様のこて先クリーニング装置において、前記検出ラインと前記はんだごての接地側とが接続されているときに、操作信号を出力する操作ラインと、前記スイッチ手段に設けられ、前記操作信号により発光する発光素子と、前記発光素子の光を受光して信号を出力する受光素子とを有するフォトカプラとをさらに備え、前記スイッチ手段は、前記フォトカプラの前記受光素子が出力した信号に基づいて前記給電回路を閉じるように構成されている。この態様では、簡単な半導体素子に基づいて、検出回路やスイッチ手段を構成することができるので、比較的廉価に装置の信頼性を高めることができる。
【発明の効果】
【００１６】
以上説明したように本発明によれば、一般的なはんだごてのこて先が接地されていることを利用し、こて先の接地側に通電することによって、スイッチ手段の物理的な変位を伴わずにはんだごてを検出し、給電回路を閉じることが可能となるので、汎用性を高めることができ、しかもこて先に負荷をかけることなく高い信頼性を発揮することができるという顕著な効果を奏する。
【００１７】
本発明のさらなる特徴、目的、構成、並びに作用効果は、添付図面と併せて読むべき未満の詳細な説明から容易に理解できるであろう。
【図面の簡単な説明】
【００１８】
【図１】本発明の実施の一形態に係るこて先クリーニング装置の斜視図である。
【図２】図１のこて先クリーニング装置、はんだごて、および本体装置を配置した平面略図である。
【図３】図１のこて先クリーニング装置の断面図である。
【図４】図１のこて先クリーニング装置の動力伝達系統の要部を示す分解斜視図である。
【図５】図１のこて先クリーニング装置の要部を示す分解斜視図である。
【図６】図１のこて先クリーニング装置の前箱からマウスキャップを取り外した状態を示す分解斜視図である。
【図７】図１のこて先クリーニング装置のマウスキャップの外観を裏面側から示す斜視図である。
【図８】図１のこて先クリーニング装置の配線図である。
【図９】図８の要部を拡大して示す詳細図である。
【発明を実施するための形態】
【００１９】
以下、添付図面を参照して、本発明を実施するための最良の形態について説明する。
【００２０】
まず、図１〜図３を参照して、本実施形態に係るこて先クリーニング装置１は、はんだごて２の本体装置３と併設され、同時に使用されるように構成されている。はんだごて２は、電気的に接地側と接続されている導電性のこて先２１を有する。こて先クリーニング装置１は、主として、こて先２１が電気的に接地されている導電性材料で構成されたはんだごて２を好適な対象とする装置である。
【００２１】
こて先クリーニング装置１は、ケーシング１００を備える。ケーシング１００は、下ケーシング１１０と、上ケーシング１１１とを有する。各ケーシング１１０、１１１は、何れも前後に長く延びる平面視略長方形の立方体である。各ケーシング１１０、１１１は、板金部材を組み合わせて箱型に構成されている。
【００２２】
下ケーシング１１０の前面には、一対のＬＥＤ１０１、１０２と、トグルスイッチ１０３とが設けられている。一対のＬＥＤ１０１、１０２のうち、一方のＬＥＤ１０１は、緑色に発光し、他方のＬＥＤ１０２は、赤色に発光するランプを構成する。これら、ＬＥＤ１０１、１０２は、こて先２１の抵抗値の検出結果を報知する報知手段の一例である。トグルスイッチ１０３は、こて先クリーニング装置１の運転モードを後述する自動運転モードと手動運転モードとの何れか一方に切り換えるために用いられる。また、下ケーシング１１０の後部には、電源ユニット１０４が内蔵されている（図３参照）。電源ユニット１０４は、電源コード１０５を備えており、給電側の電源コンセントに接続して、給電されるように構成されている。さらに、電源ユニット１０４には、コンセント１０６（図８参照）が設けられており、このコンセント１０６に本体装置３の電源コード４を接続して、本体装置３に給電できるように構成されている。また、下ケーシング１１０の底部には、基板１０７と、変圧器１０８とが前方からこの順番に配置され、固定されている。
【００２３】
上ケーシング１１１は、前後方向後端側に配置される後箱１１２と、後箱の前方に配置される内箱１１３と、前箱１１４とを有する。
【００２４】
図１、並びに図３〜図５を参照して、後箱１１２は、オプション装置を装備するための機械室等を区画する部位である。なお、具体的には図示していないが、後箱１１２の側部には、はんだごて２を立てかける公知の鏝ホルダが取り付けられる。
【００２５】
内箱１１３は、内部に仕切板１１５を有し、この仕切板１１５によって、後部のモータ室１１６と、前部のギア室１１７に仕切られている。
【００２６】
モータ室１１６には、モータ台１１８を介してモータ１１９が取り付けられている。モータ１１９の回転軸１２０は、仕切板１１５を貫通し、前方のギア室１１７内に延びている。
【００２７】
ギア室１１７内には、モータ１１９の回転軸１２０に固定される駆動ギア１２１が配置されている。駆動ギア１２１は、ギア室１１７に配置された第１の平ギア１２２に噛合している。第１の平ギア１２２は、その側部に配置された第２の平ギア１２３に噛合している。平ギア１２２、１２３は、仕切板１１５の前面側で左右に並んで配置され、互いに噛合している。したがって、モータ１１９が駆動されると、駆動ギア１２１が所定の方向（正面からみて反時計回り）に駆動される。よって、駆動ギア１２１に噛合する第１の平ギア１２２は、逆向き（正面からみて時計回り）に回転する一方、第１の平ギア１２２に噛合する第２の平ギア１２３は、駆動ギア１２１と同一方向に駆動されることになる。
【００２８】
各平ギア１２２、１２３は、金属製の回転軸１２４をそれぞれ同心に有する。各回転軸１２４は、仕切板１１５に対し、電気的に絶縁された状態で仕切板１１５に回転可能に軸支されている。従って各平ギア１２２、１２３は、ケーシング１００（内箱１１３）に対し、電気的に絶縁されている。回転軸１２４は、小径部１２５と、小径部１２５の前方に連続する大径の連結スリーブ１２８とを同心に一体に有している。小径部１２５は、平ギア１２２、１２３のボス部の内周に圧入される。ボス部と後述する軸受１３０の後端面との間には、環状の隙間Ｓが形成される。
【００２９】
両回転軸１２４間には、上記環状の隙間Ｓ内に下側から入り込むブレーキワイヤ１２６が配置される。ブレーキワイヤ１２６は、両端部がチューブで絶縁されている。ブレーキワイヤ１２６の両端を支持するため、内箱１１３の仕切板１１５には、各平ギア１２２、１２３の両外側から前方に突出するトラスボルト１２７が取り付けられている。トラスボルト１２７の外周には、スペーサ１４０が配置されている。トラスボルト１２７は、スペーサ１４０の全長で規定される長さだけ、仕切板１１５から前方に突出している。ブレーキワイヤ１２６の両端部分（チューブが固着されている部分）は、スペーサ１４０の上に載置され、ブレーキワイヤ１２６の中間部分は、環状の隙間Ｓにて両回転軸１２４の前方にある大径の連結スリーブ１２８に圧接している。これにより、ブレーキワイヤ１２６は、連結スリーブ１２８を介して平ギア１２２、１２３を上向きに付勢している。この上向きの付勢力により、ブレーキワイヤ１２６を各連結スリーブ１２８に組み付けると、連結スリーブ１２８に連続する両回転軸１２４が互いに引き寄せられ、平ギア１２２、１２３間のバックラッシや組付け時のがたつきが吸収される。ブレーキワイヤ１２６は、後述する検出ライン１７２を各回転ブラシと電気的に接続する結線部材の一例である。
【００３０】
内箱１１３の前端壁１２９には、軸受１３０が取り付けられている。軸受１３０は、絶縁性材料からなり、回転軸１２４の連結スリーブ１２８の外周を受けるスリーブ部と、スリーブ部分の前端に一体形成されたフランジ部とを同心に有している。スリーブ部は、前端壁１２９から対応する平ギア１２２、１２３のボス部の近傍まで後方に延びて、上記環状の隙間Ｓを形成しつつ、連結スリーブ１２８の外周を軸支している。フランジ部は、前端壁１２９の前面に当接している。さらに、スリーブ部には、図略の止め輪が嵌合している。止め輪は、前端壁１２９の背面に固定される。そして、この止め輪とフランジ部とによって前端壁１２９を挟み込むことにより、軸受１３０は、堅固に前端壁１２９に止定されている。これにより、軸受１３０は、連結スリーブ１２８の軸方向の移動を規制し、且つ連結スリーブ１２８を電気的に絶縁した状態で、連結スリーブ１２８を回転可能に支持している。
【００３１】
回転軸１２４の連結スリーブ１２８は、それぞれ軸受１３０を介して前端壁１２９を貫通し、前端壁１２９の前方に突出している。連結スリーブ１２８の軸受１３０よりも前方には、止めねじ１３１が設けられている。止めねじ１３１は、連結スリーブ１２８の先端内周部に装着される回転ブラシ１３２を固定するためのものである。
【００３２】
回転ブラシ１３２は、一対の連結スリーブ１２８のそれぞれに対し、ひとつずつ設けられ、二つ一組にして左右に並べられている。別の態様では、各回転ブラシ１３２を上下に配置してもよい。各回転ブラシ１３２は、円筒形状の刷毛体で具体化されている。各刷毛体は、軸部１３３の外周に固定されている。回転ブラシ１３２、および軸部１３３は、何れも耐蝕性の強い金属で形成された導電性部材である。
【００３３】
また、図示の例では、回転ブラシ１３２は、概ね平ギア１２２、１２３と同じ直径に設定されて、それぞれが互いに幾分噛み合うように構成されている。また、組付時において、軸部１３３の後端は、連結スリーブ１２８内に挿入され、連結スリーブ１２８を介して対応する回転軸１２４と連結される。これにより、回転ブラシ１３２と回転軸１２４とは、機械的且つ電気的に接続されるように構成される。本実施形態において、回転軸１２４と、この回転軸１２４の一部である連結スリーブ１２８を介して当該回転軸１２４に連結される軸部１３３とは、対応する平ギア１２２、１２３を機械的、電気的に対応する回転ブラシ１３２に連結する軸体１３４を構成している。
【００３４】
図５に示すように、内箱１１３の側部には、一対の側板１３５が設けられている。各側板１３５は、内箱の側部を天板１３６とともに遮蔽している。一方の側板１３５には、電源スイッチ１３７が取り付けられている。
【００３５】
各側板１３５は、前側部分の上部が切り欠かれているガイド部１３８を有している。各ガイド部１３８は、前端壁１２９から下ケーシング１１０の前端部分まで延びている。各ガイド部１３８は、上方部分において、各回転ブラシ１３２を開放した状態で、次に説明する前箱１１４のガイド部材を構成する。
【００３６】
図５および図６を参照して、前箱１１４は、ガイド部１３８の内面に沿って、前後に挿抜される箱型の板金部材である。前箱１１４は、平面視四角形の底板１４１と、底板１４１の両側部に延設される一対の側板１４２と、底板１４１の後端縁に延設される後端板１４３と、底板１４１の前端縁に延設される前端板１４４とを一体に備える。
【００３７】
側板１４２には、前方下部近傍部分に、ナット孔１４５が形成されている。ガイド部１３８には、前端部分にそれぞれ挿通孔１３９が形成されており、前箱１１４をガイド部１３８間に収めたときに、ナット孔１４５が挿通孔１３９に対向する。そして、この挿通孔１３９を介して、化粧ねじ１４６をナット孔１４５に螺合することにより、前箱１１４は、ガイド部１３８に固定される。図示の実施形態において、各側板１４２の上縁には、水平に延びる庇１４８が設けられている。庇１４８は、幅方向において、所定の長さに延び且つ、前箱１１４の上部中央部分を前後に開放している。したがって、前箱１１４がガイド部１３８間に取り付けられているとき、庇１４８、１４８間の隙間が二つ一組の回転ブラシ１３２、１３２の対向部分を開放する。
【００３８】
後端板１４３は、底板１４１、側板１４２、および前端板１４４とともに、前箱１１４の底部に受け皿１４７を形成する構造体である。後端板１４３は、装着時に回転ブラシ１３２との干渉を回避できるように低く設定されており、前箱１１４の後部を広く開放している。
【００３９】
前端板１４４は、概ね側板１４２の上部まで延びて、前箱１１４の前部を覆う構造体である。前端板１４４の上部は、中央が下向きに湾曲するように窪むマウス部１４９を形成している。マウス部１４９は、庇１４８、１４８間の隙間と連通し、はんだごて２を前箱１１４内に挿抜するための開口１５５を区画する。はんだごて２は、この開口１５５を通して、各回転ブラシ１３２の転動部分に臨むことができる。マウス部１４９には、マウスキャップ１５０が取り付けられている。マウスキャップ１５０は、こて先２１を回転ブラシ１３２にガイドする絶縁性ガイドの一例である。
【００４０】
図５、図６および図７を参照して、マウスキャップ１５０は、絶縁性の高い耐熱性樹脂で構成されている。マウスキャップ１５０は、前端板１４４の前面に接合する前端部１５１と、前端部の後部に配置され、前端板１４４の背面に接合する背端部１５２と、前端部１５１と背端部１５２との上縁を接続する接続部１５３とを一体に有している。前端部１５１および背端部１５２の上縁は、それぞれマウス部１４９の輪郭に沿ったＣ字形の湾曲部材である。また、接続部１５３は、上記輪郭に沿って、前端部１５１と背端部１５２とを滑らかに繋いでいる。マウスキャップ１５０の横断面は、前端部１５１、接続部１５３、背端部１５２が、全体として下向きに開くチャネル形状を呈している。マウスキャップ１５０は、この断面形状をマウス部１４９の外縁に沿わせて弾性的に止定し、マウス部１４９を被覆している。接続部１５３の上部には、リブ１５４が一体に設けられている。リブ１５４は、接続部の１５３の上面に沿って下向きに湾曲している。
【００４１】
図１に示すように、組付時において、マウスキャップ１５０のリブ１５４は、はんだご２のクリーニング時に、はんだごて２の下部を支持し、ガイドするガイド部材である。ユーザは、庇１４８とともにマウス部１４９によって区画される開口１５５から、はんだごて２を回転ブラシ１３２、１３２間に挿入し、こて先２１をリブ１５４の上にのせた状態でクリーニング作業を行うことができる。
【００４２】
図２に示すように、はんだごて２は、上記こて先２１と、こて先２１の内部に収容されるヒータ２２とを有している。こて先２１は、接地ライン２３を介して、本体装置３の接地ライン２４に接続されている。ヒータ２２は、本体装置３の給電ライン３１に接続されている。
【００４３】
本体装置３は、給電ライン３１からヒータ２２に給電する給電ユニット３２を備えている。給電ユニット３２は、図略の電源装置や制御装置を含む。電源装置は、上記電源コード４を有する。電源コード４は、こて先クリーニング装置１のコンセント１０６に接続されている。また、給電ユニット３２の制御装置は、電源装置からの給電を制御する。
【００４４】
次に、図８および図９を参照して、こて先クリーニング装置１の回路構成について説明する。ここで、図８に示すように、本実施形態の電源は、単相３線式配線になっており、図では３本一組の配線のうち、中央の配線が接地ラインになっている。
【００４５】
電源ユニット１０４には、上記電源コード１０５と接続される給電線１６０が配線されている。給電線１６０は、電源ユニット１０４の内部でこて先クリーニング装置１側とはんだごて２側との間で分岐している。給電線１６０のはんだごて２側は、コンセント１０６と接続されている。給電線１６０のこて先クリーニング装置１側には、給電コード１６１が接続されている。
【００４６】
給電コード１６１は、変圧器１０８の一次側に接続されている。給電コード１６１の変圧器１０８よりも上流側には、給電線１６２、１６３が分岐している。給電線１６２、１６３は、モータ１１９に接続されて、電源ユニット１０４等とともに、モータ給電回路１６４を構成している。モータ給電回路１６４は、モータ１１９に給電する給電回路の一例である。一方の給電線１６２は、トグルスイッチ１０３のａ接点と接続されている。このａ接点は、トグルスイッチ１０３が手動運転モードに切り換えられたときに閉じる。そのため、電源スイッチ１３７（図１、図５参照）が接続されているときにトグルスイッチ１０３が手動運転モードに切り換えられた場合、モータ１１９は、常時、回転する。なお、図８では省略されているが、電源スイッチ１３７は、電源ユニット１０４の給電線１６０に設けて、はんだごて２側の給電もＯＮ／ＯＦＦする構成にしてもよく、給電コード１６１に設けて、はんだごて２側には常時給電される構成を採用してもよい。
【００４７】
一方、変圧器１０８の二次側は、基板１０７と接続されている。変圧器１０８の二次側からは、例えば９Ｖの電圧が基板１０７に印可される。
【００４８】
基板１０７は、複数の電装品を備えている。基板１０７には、はんだごて２の抵抗値を検出する検出回路１７０と、スイッチ回路１７１とが設けられている。スイッチ回路１７１は、給電用ａ接点Ｔ１、Ｔ２（図９参照）を含んでいる。一方の給電線１６２は、トグルスイッチ１０３のａ接点と並列に、基板１０７の給電用ａ接点Ｔ１、Ｔ２（図９参照）に接続されている。スイッチ回路１７１は、二次側の検出回路１７０の出力に基づき、一次側のモータ給電回路１６４をＯＮ／ＯＦＦするスイッチ機能を奏する。
【００４９】
次に、各回路１７０、１７１の詳細について説明する。
【００５０】
まず、検出回路１７０には、検出ライン１７２が接続されている。検出ライン１７２は、ブレーキワイヤ１２６と電気的に接続されている。検出回路１７０の検出ライン１７２には、所定電圧（例えば、２５ｍＶの電圧）が印可されているが、ブレーキワイヤ１２６や、このブレーキワイヤ１２６に引き寄せられている一対の回転軸１２４は、軸受１３０によって電気的に絶縁されているため、この検出ライン１７２を含む回路は、開いたままとなっている。そのため、上記絶縁状態が維持されている場合は、印加電流が検出ライン１７２に流れることはない。一方、仮に、はんだごて２のこて先２１が回転ブラシ１３２と接触した場合、検出ライン１７２は、ブレーキワイヤ１２６から回転軸１２４、および回転ブラシ１３２を介してこて先２１と電気的に導通し、こて先２１の接地ライン２３と接続される。これにより、検出ライン１７２には、印加電流が流れるので、検出回路１７０は、この印加電流に基づいて、はんだごて２のこて先２１が接触していること、並びにこて先２１から接地ライン２３に至る抵抗値を検出することが可能となる。
【００５１】
検出回路１７０は、操作ライン１７４を備えている。検出回路１７０は、検出ライン１７２に電流が流れているときに、スイッチ回路１７１に出力信号を出力するように構成されている。ここで、本実施形態においては、検出ライン１７２に電流が流れているときに、検出回路１７０が検出した抵抗値が予め設定された駆動抵抗値（例えば、７０Ω）以下の場合に、操作ライン１７４に出力信号が出力されるように構成されている。上記駆動抵抗値を用いた構成は、安全対策として機能し得る。たとえば、何らかのもの（例えば、ユーザの指）が誤って回転ブラシ１３２に接触し、検出ライン１７２に印加電流が流れたとしても、抵抗値がはんだごて２において想定される範囲から外れている場合には、操作ライン１７４には電流が流れず、モータ１１９も駆動されることはない。例えば、人間の皮膚抵抗は、５０００Ωであるため、人が誤って回転ブラシ１３２に接触したとしても、回転ブラシ１３２は、停止したままの状態になっており、安全性が確保される。また、印加電圧も低いので、人体に影響を与える恐れもない。
【００５２】
また、検出回路１７０は、はんだごて２の抵抗値が、予め設定された設定値（例えば、２オーム）未満の場合には、一方のＬＥＤ１０１のみを点灯し、上記設定値以上の場合には、他方のＬＥＤ１０２のみを点灯するように構成されている。抵抗値が低い場合（ＬＥＤ１０１が点灯している場合）、ヒータ２２からの漏れ電流や静電気などの不要な電荷は、こて先２１から接地ライン２３を経てＡＣコンセントのアース端子に流れるため、素子への悪影響を避けることができる。一方、抵抗値が高い場合（ＬＥＤ１０２が点灯している場合）、こて先２１が古くなって、こて先２１とアースとの間の抵抗が高くなり、不要な電荷を充分にアースに逃すことができないことを示している。ユーザは、ＬＥＤ１０１、１０２の報知に基づいて、こて先２１の適否を判定し、必要に応じて新品と交換する。
【００５３】
図９に示すように、スイッチ回路１７１は、検出ライン１７２がこて先２１の接地側に接続されて通電することにより、モータ給電回路１６４を閉じるスイッチ手段の一例である。スイッチ回路１７１は、フォトカプラ１７５と、双方向サイリスタ（トライアック）１７６とを含む電子部品で構成されている。
【００５４】
フォトカプラ１７５は、発光素子１７７と受光素子１７８とを備える。発光素子１７７には、検出回路１７０の操作ライン１７４が接続されている。操作ライン１７４に電流が流れると、発光素子１７７が発光し、受光素子１７８が駆動される。また、フォトカプラ１７５の受光素子１７８は、双方向サイリスタ１７６に接続されている。
【００５５】
図示の例において、双方向サイリスタ１７６は、スイッチ回路１７１の給電用ａ接点Ｔ１、Ｔ２と接続されている。受光素子１７８から信号が出力されると、双方向サイリスタ１７６は、給電用ａ接点Ｔ１、Ｔ２を接続する。よって、給電線１６２が導通される。この結果、本実施形態では、電源スイッチ１３７をＯＮにして、トグルスイッチ１０３を自動運転モードに切り換えているときには、はんだごて２のこて先２１が回転ブラシ１３２、１３２の何れかに接触した時点で、モータ１１９が自動的に給電されて作動し、回転ブラシ１３２、１３２を回転する機能を有する。なお、双方向サイリスタ１７６は、必須の要素ではない。例えば、直流電流を用いることができる場合、省略されてもよい。その場合には、フォトカプラ１７５の受光素子１７８を直接給電用ａ接点Ｔ１、Ｔ２に接続し、フォトカプラ１７５でスイッチ回路（スイッチ手段）を構成してもよい。
【００５６】
以上のような構成では、こて先クリーニング装置１とはんだごて２の本体装置３とを作業台の適所に配置し、本体装置３の電源コード４をこて先クリーニング装置１のコンセント１０６に結線し、給電可能な状態とする。
【００５７】
本体装置３は、給電ユニット３２の制御により、はんだごて２のヒータ２２を加熱する。これによりこて先２１が加熱され、はんだを溶融してはんだ付け作業を行うことが可能となる。ユーザは、はんだごて２を把持し、こて先２１にはんだを供給しながらはんだ付け作業を行う。
【００５８】
はんだ作業を繰り返すことにより、余剰のはんだやフラックス等がはんだごて２に付着し、こて先２１の濡れ性等が変化する。そこで、ユーザは、適宜、こて先２１をこて先クリーニング装置１によって、クリーニングする。このクリーニング作業では、こて先２１が、こて先クリーニング装置１の前箱１１４に移動され、庇１４８、１４８間から回転ブラシ１３２に向けて差し込まれる。
【００５９】
この清掃作業に先立ち、ユーザは、トグルスイッチ１０３を操作して、こて先クリーニング装置１の運転モードを自動運転モードと手動運転モードとに切り換えることができる。
【００６０】
ユーザがトグルスイッチ１０３を手動運転モードに切り換えている場合、一方のモータ給電回路１６４が閉じるので、モータ１１９は、常時回転する。したがって、セラミック製のこて先を有するはんだごてを用いている場合であっても、こて先のクリーニング作業をおこなうことができる。
【００６１】
これに対し、トグルスイッチ１０３が自動運転モードに設定されている場合であって、回転ブラシ１３２がこて先と接触しておらず、回転ブラシ１３２の絶縁性が維持されているときは、トグルスイッチ１０３とスイッチ回路１７１のａ接点が何れも開いているため、モータ１１９には、電力が供給されておらず、回転ブラシ１３２は、停止したままの状態になっている。また、検出ライン１７２には、所定電圧が印可されているが、ブレーキワイヤ１２６およびこのブレーキワイヤ１２６に引き寄せられている一対の回転軸１２４は、軸受１３０によって電気的に絶縁されているため、この検出ライン１７２を含む回路は、開いたままとなっている。
【００６２】
自動運転モードにおいて、こて先２１が回転ブラシ１３２のワイヤ体に接触すると、検出ライン１７２は、ブレーキワイヤ１２６から回転軸１２４、および回転ブラシ１３２を介してこて先２１と電気的に導通し、こて先２１の接地ライン２３と接続される。これにより、検出ライン１７２に印加電流が流れ、検出回路１７０は、はんだごて２の抵抗値を検出することができる。はんだごて２の抵抗値が設定値未満の場合、検出回路１７０は、一方のＬＥＤ１０１を点灯する。はんだごて２の抵抗値が上記設定値以上の場合、検出回路１７０は、他方のＬＥＤ１０２を点灯する。
【００６３】
検出回路１７０は、ＬＥＤ１０１またはＬＥＤ１０２への出力と並行して、検出した抵抗値が駆動抵抗値（例えば、７０Ω）以下であるか否かを判定する。抵抗値が駆動抵抗値を超えている場合、検出回路１７０は、操作ライン１７４を駆動しない。そのため、モータ１１９も停止したままの状態になっている。一方、抵抗値が駆動抵抗値以下の場合、検出回路１７０は、操作ライン１７４に通電し、スイッチ回路１７１に設けたフォトカプラ１７５の発光素子１７７を発光する。この結果、フォトカプラ１７５の受光素子１７８は、給電用ａ接点Ｔ１、Ｔ２を閉じる。これによって、一次側のモータ給電回路１６４が閉じ、モータ１１９に給電される。モータ１１９が給電されると、駆動ギア１２１から第１の平ギア１２２、第２の平ギア１２３の順にトルクが伝達され、各平ギア１２２、１２３、並びにこれら平ギア１２２、１２３に連結された回転軸１２４の連結スリーブ１２８を介して、回転ブラシ１３２が互いに逆向きに回転する。この結果、はんだごて２が回転ブラシ１３２に接触した時点で、回転ブラシ１３２が回転し、付着物が除去される。
【００６４】
回転ブラシ１３２が回転している間、ユーザは、はんだごて２を前箱１１４のマウスキャップ１５０の上に載置し、適宜、はんだごて２を軸回りに回しながら、付着物を除去することができる。除去された付着物は、前箱１１４の受け皿１４７に捕集される。付着物が充分に除去されると、ユーザは、はんだごて２を前箱１１４から抜き出し、再びはんだ付け作業を行ったり、電源を落としてはんだ付け作業を終了したりする。
【００６５】
はんだごて２のこて先２１が回転ブラシ１３２から離れると、検出ライン１７２を含む回路が開き、検出ライン１７２の通電が停止する。この結果、検出回路１７０は、操作ライン１７４への通電を停止する。このため、スイッチ回路１７１に設けられたフォトカプラ１７５の発光素子１７７が停止し、受光素子１７８も出力を停止する。この結果、スイッチ回路１７１の双方向サイリスタ１７６は、給電用ａ接点Ｔ１、Ｔ２を開く。よって、モータ給電回路１６４が開き、給電が停止される。したがって、モータ１１９が停止して、回転ブラシ１３２も停止する。
【００６６】
クリーニング作業において前箱１１４の受け皿１４７に捕集された付着物は、適宜、前箱１１４を取り外して除去される。
【００６７】
以上説明したように、本実施形態によれば、検査用の電圧（例えば、２５ｍＶ）が印可されている検出ライン１７２を設け、この検出ライン１７２を回転ブラシ１３２に接続している。ここで、検出ライン１７２は接地側とは絶縁しており、回転ブラシ１３２も電気的に絶縁された状態で支持されている。そのため、単に回転ブラシ１３２がこて先２１に接触せずに、回転ブラシの絶縁性が維持されている状態では、検出ライン１７２に電圧を印加しても、検出ライン１７２が通電されることはない。よって、モータ１１９は、停止しており、回転ブラシ１３２は、停止したままになっている。一方、こて先２１が回転ブラシ１３２に接触すると、この回転ブラシ１３２を介して、こて先２１の接地ライン２３および本体装置３の接地ライン２４と検出ライン１７２とが導通する。このため、検出ライン１７２に印加電流が流れる。この印加電流によって、スイッチ回路１７１は、モータ給電回路１６４を閉じる。このように、本実施形態では、はんだごて２のこて先２１が接地されていることを利用し、こて先２１が回転ブラシ１３２に接触したときに、検出ライン１７２が通電されて、スイッチ回路１７１がモータ給電回路１６４を閉じる。この結果、はんだごて２の長さに拘わらず、はんだごて２を検出することができる。よって、こて先クリーニング装置１の汎用性を高めることが可能となる。また、従来通り、回転ブラシ１３２にこて先２１を接触させるだけでモータ給電回路１６４を閉じることができる。したがって、こて先２１に大きな負荷をかけることなく、モータ１１９を駆動することができる。また、ケーシング１００が金属製であるため、耐久性が向上し、付着物の処理等、メンテナンス性も向上する。
【００６８】
また、本実施形態では、検出ライン１７２に接続され、こて先２１の抵抗値を検出する検出回路１７０と、検出回路１７０に接続され、こて先２１の抵抗値の検出結果を報知する報知手段としてのＬＥＤ１０１、１０２をさらに備えている。具体的には、一対のランプ（ＬＥＤ１０１、ＬＥＤ１０２）を備え、はんだごて２のこて先２１の抵抗値が所定値（例えば、２Ω）未満の場合には、一方のランプ（ＬＥＤ１０１）のみが点灯し、こて先２１が好適な抵抗値を有していることを報知する。また、こて先の抵抗値が上記所定値以上の場合には、他方のランプ（ＬＥＤ１０２）のみが点灯し、こて先２１が古くなっていることを報知する。このため本実施形態では、こて先２１のクリーニング時にこて先２１の抵抗値を同時に検出し、その結果を報知することができるので、ユーザは、こて先２１の交換要否等を判断することが可能になる。なお、報知手段としては、ＬＥＤ等に代えて、液晶パネルを採用し、検出した抵抗値を表示できるように構成してもよい。
【００６９】
また、本実施形態では、回転ブラシ１３２は、二つ一組にして並置されており、検出ライン１７２を各回転ブラシ１３２と電気的に接続するブレーキワイヤ１２６を備えている。このため本実施形態では、二つ一組の回転ブラシ１３２を設けることによって、より確実にクリーニングを実行することができる。また、ブレーキワイヤ１２６で検出ライン１７２と回転ブラシ１３２とが接続されているので、検出回路１７０と回転ブラシ１３２とを接続する信頼性が高くなる。
【００７０】
また、本実施形態では、二つ一組の回転ブラシ１３２にそれぞれ設けられ、互いに噛合する一対のギア１２２、１２３をさらに備え、ブレーキワイヤ１２６は、一対のギア１２２、１２３を互いに噛合する方向に寄せる機能を奏する。このため本実施形態では、各回転軸１２４がブレーキワイヤ１２６によって、径方向に寄せられるので、一対のギアのバックラッシや寸法公差等に起因するがたつきが回転時に吸収され、各回転軸１２４は、スムーズに回転する。よって、駆動時の騒音や振動を低減することができる。また、上記がたつきを吸収することができるので、各部の寸法公差を比較的大きく設定することができる。そのため、厳密な寸法精度が不要となり、製造や組立が容易になる。
【００７１】
また、本実施形態では、回転ブラシ１３２をはんだごて２に臨ませる開口をケーシング１００に形成するマウス部１４９と、マウス部１４９の輪郭に沿ってマウス部１４９に設けられ、こて先２１を回転ブラシ１３２にガイドするマウスキャップ１５０とをさらに備えている。このため本実施形態では、マウスキャップ１５０によって、はんだごて２とケーシング１００との絶縁性が確保された状態で、こて先２１を回転ブラシ１３２に導きやすくなり、操作性が向上する。特に、マウスキャップ１５０にリブ１５４を設けているので、位置決めが容易になり、操作性が向上する。
【００７２】
また、本実施形態では、検出ライン１７２とはんだごて２の接地側とが接続されているときに、操作信号を出力する操作ライン１７４と、スイッチ回路１７１に設けられ、操作信号により発光する発光素子１７７と、発光素子１７７の光を受光して信号を出力する受光素子１７８とを有するフォトカプラ１７５とをさらに備え、スイッチ回路１７１は、フォトカプラ１７５の受光素子１７８が出力した信号に基づいてモータ給電回路１６４を閉じるように構成されている。このため本実施形態では、簡単な半導体素子に基づいて、検出回路１７０やスイッチ回路１７１を構成することができるので、比較的廉価に装置の信頼性を高めることができる。
【００７３】
本発明は、上述した実施の形態に限定されるものではなく、本発明の要旨を逸脱しない範囲内において種々変更を加え得ることはいうまでもない。
【符号の説明】
【００７４】
１ こて先クリーニング装置
２ はんだごて
１００ ケーシング
１０４ 電源ユニット
（給電回路の一要素例）
１１４ 前箱
１１９ モータ
１２１ 駆動ギア
１２２ 第１の平ギア
１２３ 第２の平ギア
１２６ ブレーキワイヤ
（結線部材の一例）
１３２ 回転ブラシ
１４９ マウス部
１５０ マウスキャップ（絶縁性ガイドの一例）
１５５ 開口
１６４ モータ給電回路
（給電回路の一要素例）
１７０ 検出回路
１７１ スイッチ回路
１７２ 検出ライン
１７４ 操作ライン
【図１】
0005970511.tif 000002
【図２】
0005970511.tif 000003
【図３】
0005970511.tif 000004
【図４】
0005970511.tif 000005
【図５】
0005970511.tif 000006
【図６】
0005970511.tif 000007
【図７】
0005970511.tif 000008
【図８】
0005970511.tif 000009
【図９】
0005970511.tif 000010